(57)【要約】      （修正有）【課題】スタンディングテーブルを提供する。【解決手段】スタンディングテーブルは、調節板１と、調節板１が上部に支持される上部支持台２と、上部支持台２の下部に設けられた下部支持台３と、相互にＸ字型に回転可能に交差された一対のリンクアームとで構成され、下部支持台３と上部支持台２との間を折りたたみ可能に連結するクロスアーム２０と、クロスアーム２０のリンクアームの間の回転を許容または遮断するように設けられた高さ調節用ロック装置６０を備える高さ調節ユニットを含み、上部支持台２に対して調節板１の傾斜を可変させるように設けられた傾斜調節ユニット１００をさらに含むが、調節板１は、一端が前記上部支持台に回転可能に結合され、クロスアーム２０は、上部および下部支持台２、３の間の両側に一対に設けられ、高さ調節用ロック装置６０は、一対のクロスアーム２０の動作を個別に操作するように一対に設けられる。【選択図】図８
0003206215.tif 000002
【実用新案登録請求の範囲】
【請求項１】
調節板と、前記調節板が上部に支持される上部支持台と、前記上部支持台の下部に設けられた下部支持台と、相互にＸ字型に回転可能に交差された一対のリンクアームで構成され、前記下部支持台と上部支持台との間を折りたたみ可能に連結するクロスアームと、前記クロスアームのリンクアームの間の回転を許容または遮断するように設けられた高さ調節用ロック装置を備える高さ調節ユニットとを含み、
前記上部支持台に対して前記調節板の傾斜を可変させるように設けられた傾斜調節ユニットをさらに含むが、
前記調節板は一端が前記上部支持台に回転可能に結合され、
前記クロスアームは、前記上部および下部支持台の間の両側に一対に設けられ、
前記高さ調節用ロック装置は、一対の前記クロスアームの動作を個別に操作するように一対に設けられたスタンディングテーブル。
【請求項２】
一対の前記高さ調節用ロック装置は、それぞれ高さ調節用グリップ部を含み、手で操作されるように設けられ、
一対の前記高さ調節用グリップ部は、両手で同時に操作することができるように、前記調節板底部の両側に配置された請求項１に記載のスタンディングテーブル。
【請求項３】
前記高さ調節用ロック装置は、前記クロスアームを構成する一対の前記リンクアームのいずれかに設けられた第１の係止部と、前記第１の係止部に係止するように前記上部支持に設けられた第２の係止部と、前記第１および第２の係止部の間を係止または係止解除することができるように設けられた高さ調節用ロックレバーを含み、
前記第１の係止部には、複数の第１の歯が形成されるように凸状に湾曲した第１の歯部が設けられ、前記第２の係止部には前記第１の歯の間に噛合される複数の第２の歯が形成されるように凹状に湾曲した第２の歯部が設けられ、
前記第１の歯は、一方の第１の歯面が接線に対して傾斜し、他方の第２の歯面が接線に対して垂直方向に形成されるように設けられたことを含み、
前記第２の歯は、前記第１の歯の第２の歯面に対応する一方の第１の歯面が接線に対して垂直方向に形成され、前記第２の歯の第１の歯面に対応する他方の第２の歯面が接線に対して傾斜するように設けられたことを含む請求項１に記載のスタンディングテーブル。
【請求項４】
前記クロスアームを構成する一対の前記リンクアームの間にはショックアブソーバ（ｓｈｏｃｋ  ａｂｓｏｒｂｅｒ）を介して接続されるが、前記ショックアブソーバの両端は、一端が他端より前記交差部にさらに隣接するように配置され、
前記クロスアームを構成する一対の前記リンクアームの間には、前記調節板が上昇する方向に弾性部材を介して弾力的に支持された請求項１に記載のスタンディングテーブル。
【請求項５】
前記上部支持台に対して前記調節板の傾斜を可変させるように設けられた傾斜調節ユニットをさらに含み、
前記調節板は一端が前記上部支持台に回転可能に結合され、
前記傾斜調節ユニットは、前記上部支持台に対する前記調節板の回転を許容または遮断するように傾斜調節用グリップ部を備え、前記調節板背面に位置される傾斜調節用ロックレバーと、前記傾斜調節用グリップ部を前記調節板上部から手を入れてつかむことができるように、前記傾斜調節用グリップ部の位置に対応する前記調節板を貫通する操作孔を含む請求項１に記載のスタンディングテーブル。
【請求項６】
前記傾斜調節ユニットは、前記調節板を傾斜が高まる方向に弾性支持するように、前記天板底部に位置する掛け金と、前記掛け金が段階的に係止することができるように設けられた複数の第１の係止溝を備え、前記調節板背面に固定された係止板と、前記複数の第１の係止溝と同じ間隔で並べて配置された複数の第２の係止溝を備え、前記第２の係止溝が前記第１の係止溝と一致した状態で整列が可能なように、前記係止板に摺動可能に装着された摺動部材と、前記摺動部材を前記掛け金の弾性支持の方向と反対方向に加圧するように設けられた加圧手段を含む請求項１に記載のスタンディングテーブル。
【請求項７】
同一平面上に位置可能な本体板と補助板を含む天板と、
前記本体板上部に前記補助板の高さを可変させるように設けられた高さ調節ユニットと、
前記本体板に対して前記補助板の傾斜を可変させるように設けられた傾斜調節ユニットと、を含むスタンディングテーブル。
【請求項８】
前記天板底部には本体フレームが設けられ、前記補助板底部には補助フレームが設けられるが、
前記高さ調節ユニットは、前記本体フレームと補助フレームとの間を折りたたみ可能に連結するように相互にＸ字型に回転可能に交差された一対のリンクアームで構成された少なくとも一対のクロスアームを含み、
前記クロスアームを構成する一対の前記リンクアームの一つは、上部一端が前記補助フレームに回転可能に結合され、下部他端が前記本体フレームに水平方向に摺動可能に結合され、
一対の前記リンクアームの残りの一つは、下部一端が前記本体フレームに回転可能に結合され、上部他端が前記補助フレームに水平方向に摺動可能に結合され、前記クロスアームを構成する一対の前記リンクアームの両端の位置は、垂直方向に沿って同一線上に位置するように設けられた請求項７に記載のスタンディングテーブル。
【請求項９】
前記クロスアームを構成する一対の前記リンクアームの間にはショックアブソーバ（ｓｈｏｃｋ  ａｂｓｏｒｂｅｒ）を介して接続され、
前記ショックアブソーバは、両端が一対の前記リンクアームの交差部の一方に前記交差部の上部と下部にそれぞれ回転可能に結合され、
前記ショックアブソーバの両端は、一端が他端より前記交差部にさらに隣接するように配置された請求項８に記載のスタンディングテーブル。
【請求項１０】
前記高さ調節ユニットは、前記クロスアームを構成する一対のリンクアームの間の回転を許容または遮断するように設けられた高さ調節用ロックレバーを含み、
前記高さ調節用ロックレバーは、両手を使って操作するように一対に構成された請求項８に記載のスタンディングテーブル。
【請求項１１】
前記高さ調節ユニットは、前記クロスアームを構成する一対のリンクアームの間の回転を許容または遮断するように設けられた高さ調節用ロック装置を含み、
前記ロック装置は、前記クロスアームを構成する一対の前記リンクアームのいずれかに設けられた第１の係止部と、前記第１の係止部に係止するように前記補助フレームに設けられた第２の係止部と、前記第１および第２の係止部の間が係止または係止解除の状態に切り替えるように設けられた高さ調節用ロックレバーを含む請求項８に記載のスタンディングテーブル。
【請求項１２】
前記補助板は、一端が前記補助フレームに回転可能に結合され、
前記傾斜調節ユニットは、前記補助フレームに対する前記補助板の回転を許容または遮断するようにグリップ部を備え、前記補助板背面に位置する傾斜調節用ロックレバーと、前記グリップ部を前記補助板上部から手を入れてつかむことができるように前記グリップ部の位置に対応する前記補助板を貫通する操作孔を含む請求項８に記載のスタンディングテーブル。
【請求項１３】
前記補助板は、前記補助フレームに回転可能に結合され、
前記傾斜調節ユニットは、前記補助板の傾斜を高める方向に弾性支持されるように前記補助板底部に位置する掛け金と、前記掛け金が段階的に係止することができるように設けられた複数の第１の係止溝を備えるように前記補助板背面に固定された係止板と、前記複数の第１の係止溝と同じ間隔で並べて配置された複数の第２の係止溝を備え、前記第２の係止溝が前記第１の係止溝と一致した状態で整列が可能なように前記係止板に摺動可能に装着された摺動部材と、前記摺動部材を前記掛け金の弾性支持の方向と反対方向に加圧するように設けられた加圧手段を含む請求項８に記載のスタンディングテーブル。
【考案の詳細な説明】
【技術分野】
【０００１】
本考案は、座った姿勢はもちろん、立っている姿勢でも快適に作業を行うことができるように設けられたスタンディングテーブルに関する。
【背景技術】
【０００２】
机や作業台などに使用可能なテーブルは、通常、天板の高さが座った姿勢に合わせて固定されたものが一般的である。しかし、座った姿勢で長時間座っている状態では、首や腰などに容易に無理が生じることがあるので、天板の高さが固定されたテーブルは、長時間の使用に不便な点が多かった。したがって、最近、テーブルの中には、天板の高さを調節できるようにすることにより、座った姿勢はもちろん、立っている状態でもテーブルを用いて作業を快適に行うことができるようにしたスタンディングタイプが登場している特許文献1は、天板の高さを調節できるように設けられたスタンディングテーブルの一例を提示している。
【先行技術文献】
【特許文献】
【０００３】
【特許文献１】韓国公開特許第１０−２０１２−０１２９０４１号公報
【考案の概要】
【考案が解決しようとする課題】
【０００４】
しかし、前記公報に開示されたスタンディングテーブルは、天板が垂直方向に立てられた支持台に上下に摺動可能な状態でボルトで固定されており、これにより、支持台に天板の高さを調節するためにボルトを緩めて再度締めなければならないため、テーブルの利用の途中で天板の高さを頻繁に調節するのが困難であった。
【０００５】
また、地面と平行な状態の天板を単純に高さだけ調節することができるように設けられた従来のスタンディングテーブルは、傾斜を有する支持面は提供することができず、様々な作業時に便利に活用されるのに限界があった。
【０００６】
また、通常のテーブルでは、実際の作業に活用される空間は、天板の一部である場合がほとんどであるのに対し、従来のスタンディングテーブルは天板全体の高さを調節するようになっているので、天板の高さ調節のために、天板を上げたり下げたりするのに伴う動作の効率性が改善されるようにするのにも限界があった。本考案の実施例は、作業スペースの高さはもちろん、傾斜を調節できるように設けられ、作業利便性を向上させることができるように設けられたスタンディングテーブルを提供するものである。また、作業スペースの高さまたは傾斜の調節による安定性および動作効率性を向上させることができるようにスタンディングテーブルを提供するものである。
【課題を解決するための手段】
【０００７】
本考案の一側面によれば、スタンディングテーブルは調節板と、前記調節板が上部に支持される上部支持台と、前記上部支持台の下部に設けられた下部支持台と、相互にＸ字型に回転可能に交差された一対のリンクアームで構成され、前記下部支持台と上部支持台との間を折りたたみ可能に連結するクロスアームと、前記クロスアームのリンクアームとの間の回転を許容または遮断するように設けられた高さ調節用ロック装置を備える高さ調節ユニットを含み、前記上部支持台に対して前記調節板の傾斜を可変させるように設けられた傾斜調節ユニットをさらに含むが、前記調節板は一端が前記上部支持台に回転可能に結合され、前記クロスアームは、前記上部および下部支持台の間の両側に一対に設けられ、前記高さ調節用ロック装置は、一対の前記クロスアームの動作を個別に操作するように一対に設けられる。
【０００８】
一対の前記高さ調節用ロック装置は、それぞれ高さ調節用グリップ部を含み、手で操作されるように設けられ、一対の前記高さ調節用グリップ部は両手で同時に操作することができるように、前記調節板底部の両側に配置される。
【０００９】
前記高さ調節用ロック装置は、前記クロスアームを構成する一対の前記リンクアームのいずれかに設けられた第１の係止部と、前記第１の係止部に係止するように前記上部支持台に設けられた第２の係止部と、前記第１および第２の係止部の間を係止または係止解除することができるように設けられた高さ調節用ロックレバーを含み、前記第１の係止部には、複数の第１の歯が形成されるように凸状に湾曲した第１の歯部が設けられ、前記第２の係止部には、前記第１の歯の間に噛合される複数の第２の歯が形成されるよう凹状に湾曲した第２の歯部が設けられ、前記第１の歯は一方の第１の歯面が接線に対して傾斜し、他方の第２の歯面が接線に対して垂直方向に形成されるように設けられたことを含み、前記第２の歯は前記第１の歯の第２の歯面に対応する一方の第１の歯面が接線に対して垂直方向に形成され、前記第２の歯の第１の歯面に対応する他方の第２の歯面が接線に対して傾斜するように設けられたことを含む。
【００１０】
前記クロスアームを構成する一対の前記リンクアームの間はショックアブソーバ（ｓｈｏｃｋ  ａｂｓｏｒｂｅｒ）を介して連結されるが、前記ショックアブソーバの両端は、一端が他端より前記交差部にさらに隣接するように配置され、前記クロスアームを構成する一対の前記リンクアームの間は、前記調節板が上昇する方向に弾性部材を介して弾力的に支持される。
【００１１】
前記上部支持台に対して前記調節板の傾斜を可変させるように設けられた傾斜調節ユニットをさらに含むが、前記調節板は一端が前記上部支持台に回転可能に結合され、前記傾斜調節ユニットは、前記上部支持台に対する前記調節板の回転を許容または遮断するように傾斜調節用グリップ部を備えて前記調節板背面に位置される傾斜調節用ロックレバーと、前記傾斜調節用グリップ部を前記調節板上部から手を入れてつかむことができるように、前記傾斜調節用グリップ部の位置に対応する前記調節板を貫通する操作孔を含む。
【００１２】
前記傾斜調節ユニットは、前記調節板を傾斜が高まる方向に弾性支持するように、前記天板底部に位置する掛け金と、前記掛け金が段階的に係止することができるように設けられた複数の第１の係止溝を備え、前記調節板背面に固定された係止板と、前記複数の第１の係止溝と同じ間隔で並べて配置された複数の第２の係止溝を備え、前記第２の係止溝が前記第１の係止溝と一致した状態で整列が可能なように、前記係止板に摺動可能に装着された摺動部材と、前記摺動部材を前記掛け金の弾性支持の方向と反対方向に加圧するように設けられた加圧手段を含む。
【００１３】
本考案の他の側面によると、スタンディングテーブルは同一平面上に位置可能な本体板と補助板を含む天板、前記本体板上部に前記補助板の高さを可変させるように設けられた高さ調節ユニット、および前記本体板に対して前記補助板の傾斜を可変させるように設けられた傾斜調節ユニットを含む。
【００１４】
前記天板底部には本体フレームが設けられ、前記補助板底部には、補助フレームが設けられるが、前記高さ調節ユニットは、前記本体フレームと補助フレームとの間を折りたたみ可能に連結するように相互にＸ字型に回転可能に交差された一対のリンクアームで構成された少なくとも一対のクロスアームを含み、前記クロスアームを構成する一対の前記リンクアームの一つは、上部一端が前記補助フレームに回転可能に結合され、下部他端が前記本体フレームに水平方向に摺動可能に結合され、一対の前記リンクアームの残りの一つは、下部一端が前記本体フレームに回転可能に結合され、上部他端が前記補助フレームに水平方向に摺動可能に結合され、前記クロスアームを構成する一対の前記リンクアームの両端の位置は、垂直方向に沿って同一線上に位置するように設けられる。
【００１５】
前記クロスアームを構成する一対の前記リンクアームの間はショックアブソーバ（ｓｈｏｃｋ  ａｂｓｏｒｂｅｒ）を介して連結され、前記ショックアブソーバは、両端が一対の前記リンクアームの交差部の一方に、前記交差部の上部と下部にそれぞれ回転可能に結合され、前記ショックアブソーバの両端は、一端が他端より前記交差部にさらに隣接するように配置される。
【００１６】
前記高さ調節ユニットは、前記クロスアームを構成する一対のリンクアームの間の回転を許容または遮断するように設けられた高さ調節用ロックレバーを含み、前記高さ調節用ロックレバーは、両手を使って操作するように一対に構成される。
【００１７】
前記高さ調節ユニットは、前記クロスアームを構成する一対のリンクアームの間の回転を許容または遮断するように設けられた高さ調節用ロック装置を含み、前記ロック装置は、前記クロスアームを構成する一対の前記リンクアームのいずれかに設けられた第１の係止部と、前記第１の係止部に係止するように前記補助フレームに設けられた第２の係止部と、前記第１および第２の係止部の間が係止または係止解除の状態に切り替えられるように設けられた高さ調節用ロックレバーを含む。
【００１８】
前記補助板は、一端が前記補助フレームに回転可能に結合され、前記傾斜調節ユニットは、前記補助フレームに対する前記補助板の回転を許容または遮断するようにグリップ部を備え、前記補助板背面に位置される傾斜調節用ロックレバーと、前記グリップ部を、前記補助板上部から手を入れてつかむことができるように、前記グリップ部の位置に対応する前記補助板を貫通する操作孔を含む。
【００１９】
前記補助板は、前記補助フレームに回転可能に結合され、前記傾斜調節ユニットは、前記補助板の傾斜を高める方向に弾性支持されるように、前記補助板底部に位置する掛け金と、前記掛け金が段階的に係止することができるように設けられた複数の第１の係止溝を備えるように、前記補助板背面に固定された係止板と、前記複数の第１の係止溝と同じ間隔で並べて配置された複数の第２の係止溝を備え、前記第２の係止溝が前記第１の係止溝と一致した状態で整列が可能なように、前記係止板に摺動可能に装着された摺動部材と、前記摺動部材を前記掛け金の弾性支持の方向と反対方向に加圧するように設けられた加圧手段を含む。
【考案の効果】
【００２０】
本考案の実施例によるスタンディングテーブルは、高さ調節用ロックレバーを介して利用者が意図するところにより、作業スペースの高さはもちろん、傾斜を多様に可変させることができ、スタンディングテーブルを利用した作業の利便性が改善されるようになる。
【００２１】
本考案の実施例によるスタンディングテーブルは、調節板の高さ調節のための一対のクロスアームが一対の高さ調節用グリップ部によって個別に動作するようになり、天板の高さ調節過程で、両手がともに高さ調節用グリップ部をつかんだ状態を維持するようにすることで、調節板の昇降動作時に利用者の手が上部支持台と下部支持台との間にはさまれることをほぼ完全に防止して調節板の高さ調節に伴う安全性を十分に確保することができる。
【００２２】
また、本実施例によるスタンディングテーブルは、天板の一部を形成する補助板を昇降させたり傾けたりして作業スペースの高さおよび傾きを調節することができる分だけ、より少ない力で作業スペースの高さおよび傾斜を調節できるようになるので、作業スペースの高さまたは傾斜調節による動作効率性も向上させることができる。
【００２３】
また、本考案の実施例によるスタンディングテーブルは、高さ調節ユニットと傾斜調節ユニットにより、天板の高さはもちろん傾斜まで調節できるようになり、さまざまな作業により便利に使用することができる。本考案による効果は以上で言及した効果に限定されず、言及されていない他の効果は、請求の範囲の記載から当業者に明確に理解されるであろう。
【図面の簡単な説明】
【００２４】
【図１】本考案の第１の実施例によるスタンディングテーブルの斜視図であって、調節板が底部に下降された状態を示したものである。
【図２】図１において調節板が上昇した状態を示したものである。
【図３】図２において調節板の傾斜が立てられた状態を示したものである。
【図４】図２の側面図である。
【図５】図２の側面図であって、高さ調節用ロック装置の構造を示すために、上部支持台の一部が除去されるようにしたものである。
【図６】高さ調節用ロック装置に設けられた第１の歯と第２の歯の間の係止構造を拡大し図示したものである。
【図７】図５の状態で調節板が下降された状態を示したものであって、高さ調節用ロック装置の構造を示すために、上部支持台とクロスアームの一部が除去されるようにしたものである。
【図８】本考案の第１の実施例によるスタンディングテーブルの底面斜視図である。
【図９】本考案の第１の実施例によるスタンディングテーブルにおいて傾斜調節ユニット側の構造を抜粋して示した側面図である。
【図１０】図９において傾斜調節ロックレバーを操作して、傾斜調節ユニットのロックが解除された状態を示したものである。
【図１１】図１０の状態で調節板の傾斜が大きくなるように調節された状態を示したものである。
【図１２】本考案の第２の実施例によるスタンディングテーブルの斜視図である。
【図１３】図１２のスタンディングケーブルを底部側から見た状態を示す斜視図である。
【図１４】図１２の状態で天板の補助板が上昇動作された状態を示したものである。
【図１５】図１４の状態で天板の補助板が傾斜するように立てられた状態を示したものである。
【図１６】本考案の第２の実施例によるスタンディングテーブルにおいて、高さ調節ユニット側の構造を示す部分側面図である。
【図１７】図１６の状態で天板の補助板が下降された状態を示したものである。
【図１８】本考案の第２の実施例によるスタンディングテーブルにおいて、高さ調節ユニットのクロスアームの構造を分解図示した斜視図である。
【図１９】本考案の第２の実施例によるスタンディングテーブルにおいて、補助板の底部構造を示す斜視図であって、補助板が補助フレームに水平状態に支持された状態を示したものである。
【図２０】図１９の状態で補助板が傾斜するように立てられた状態を示したものである。
【図２１】本考案の第２の実施例によるスタンディングテーブルにおいて、傾斜調節ユニット側の構造を抜粋して示した側面図である。
【図２２】図２１の状態で傾斜調節ロックレバーを操作して、傾斜調節ユニットのロック状態が解除された状態を示したものである。
【図２３】図２２の状態で補助板の傾斜が大きくなるように調節された状態を示したものである。
【考案を実施するための形態】
【００２５】
以下、本考案の実施例を添付図面を参照して詳細に説明する。以下の実施例は、本考案が属する技術分野において通常の知識を有する者に本考案の思想を十分に伝達するために提示するものである。本考案は、ここで提示した実施例のみに限定されず、他の形態でも具体化されうる。図面は、本考案を明確にするために、説明と関係のない部分の図示を省略し、理解を助けるために構成要素の大きさをやや誇張して表現しうる。
【００２６】
図１〜図３に示すように、本実施例によるスタンディングテーブルは、調節板１と、調節板１が上部に支持されるように設けられた上部支持台２と、上部支持台２の下部に設けられた下部支持台３とを備える。
【００２７】
図面で調節板１は、通常のテーブルに適用されるように矩形の板状に設けられるが、円形、三角形、五角等の天板の形態には特別な制限がなく、天板の材質も木、プラスチック、金属、アクリル等の様々な素材から選択することができる。すなわち、調節板１の形状と材質はスタンディングテーブルの利用目的や製作者が希望するデザインに応じて、様々な形状と材質を使用して構成することができる。
【００２８】
上部支持台２は、調節板１の底面を支持するように設けられ、下部支持台３は、スタンディングテーブルが高められるところの底面に支持されるように、上部支持台２の底部に位置するようになる。スタンディングテーブルは、机のような他のものの上にのせた状態で利用することが望ましいが、単独で床に置いた状態でも脇卓などの用途で利用可能である。上部および下部支持台２、３は、それぞれ四角の枠の形態で設けられ得、上部支持台２は、下部支持台３の上部に支持可能なように設けられうる。枠の形態で設けられる下部支持台３は、各コーナーの側に一体に設けられた略円板形態の支え部３ａを介して床面に対する支持力を高めることができるようになる。床面に対する支持力を高めることができるように、各支え部３ａの底面には吸盤や底面との摩擦を増大させるための摩擦部材等が設置されうる。下部支持台３は、本実施例と異なり、平板形態でも代替することができる。
【００２９】
上部および下部支持台２、３は、木、プラスチック、金属などの様々な素材を使用して設けられうるが、剛性を考慮した時、上部および下部支持台２、３の素材としては、金属や強化プラスチック等の方がより適合しうる。
【００３０】
調節板１は、高さ調節ユニット１０を介して下部支持台３と上部支持台２との間の間隔が変化されるのに応じて高低が調節されうるようになる。
【００３１】
図４〜図７に示すように、高さ調節ユニット１０は、下部支持台３と上部支持台２との間を折りたたみ可能に連結するように設けられたクロスアーム２０を含み、クロスアーム２０は、相互にＸ字型に回転可能に交差された一対のリンクアーム３０、４０として構成することができる。クロスアーム２０は、上部および下部支持台２、３の間の両側に一対に配置され、上部および下部支持台２、３の間が、両方のバランスをとった状態で安定的に間隔調節が可能なように設けることができる。クロスアーム２０を構成する一対のリンクアーム３０、４０は、上部一端が上部支持台２に回転可能に結合され、下部他端が下部支持台３に水平方向に摺動可能に結合された第１のリンクアーム３０と、下部一端が下部支持台３に回転可能に結合され、上部他端が上部支持台２に水平方向に摺動可能に結合された第２のリンクアーム４０とに区分することができる。下部支持台３の一方には、第１のリンクアーム３０の下部側端部が水平方向に摺動可能に結合されるように、第１の水平レール３ｂ（図２、３参照）が形成され得、第１の水平レール３ｂの位置に対応する上部支持台２の一方には、第２のリンクアーム４０の上部側端部が水平方向に摺動可能に結合されるように、第２の水平レール２ｂ（図７参照）が形成されうる。したがって、調節板１は、クロスアーム２０の折りたたみ動作に応じて昇降しながら高さが可変されうるようになる。
【００３２】
クロスアーム２０の折りたたみ動作時に調節板１が水平方向には移動されることなく、その位置のまま昇降動作することができるようにクロスアーム２０を構成する一対のリンクアーム３０、４０の両端の位置は、垂直方向に沿って同一線上に位置するように設けられることが望ましい。したがって、水平方向に移動されることなく昇降動作する調節板１は、前後に別途の空間を確保する必要がなくなり空間活用度の面でも有利な利点を持つようになる。また、調節板１の昇降動作が振動のない状態で安定的に行われるように、クロスアーム２０には、第１のショックアブソーバ（ｓｈｏｃｋ  ａｂｓｏｒｂｅｒ）５０が採用されうる。このとき、クロスアーム２０を構成するリンクアーム３０、４０の摺動動作に干渉されることがないようにし、またクロスアーム２０の折りたたみ区間の全区間に渡って効果的な緩衝作用を行うことができるようにしながらも、調節板１の昇降動作時に第１のショックアブソーバ５０が一方のリンクアームに隣接する状態を維持できるように、第１のショックアブソーバ５０は、両端が一対のリンクアーム３０、４０の交差部の一方に交差部の上部と下部にそれぞれ回転可能に結合され、第１のショックアブソーバ５０の両端のうち一端は他端よりリンクアーム３０、４０の間の交差部にさらに隣接するように配置することができる。
【００３３】
図４で説明していない符号２１は、リンクアーム３０、４０の間の交差部を回転可能に連結する回転軸であり、５１および５２は、第１のショックアブソーバ５０の両端を各リンクアーム３０、４０に回転可能に結合させる回転結合ピンを指す。
【００３４】
また、高さ調節ユニット１０は、クロスアーム２０を構成する一対のリンクアーム３０、４０の間の回転を許容または遮断するように設けられた高さ調節用ロック装置６０を含みうる。高さ調節用ロック装置６０は、クロスアーム２０を構成する第１および第２のリンクアーム３０、４０のうち、第１のリンクアーム３０に設けられた第１の係止部７０と、第１の係止部７０に係止することができるように上部支持台２に設けられた第２の係止部８０と、第１および第２の係止部７０、８０の間が係止または係止解除状態に切り替えられるように設けられた高さ調節用ロックレバー９０を含むように構成することができる。高さ調節用ロックレバー９０は、調節板１の側方底部に調節板１の側方の側の辺とほぼ平行に配置される高さ調節用グリップ部９１と、高さ調節用グリップ部９１から調節板１の内側に延長された作動部９２を備えることができる。動作部９２は、第１の回転軸９３を介して上部支持台２に上下方向に回転可能に結合することができる。
【００３５】
第１の係止部７０は扇形に形成され、第１のリンクアーム３０の上端に固定することができ、凸状曲面をなす第１の係止部７０の一方の周りには、複数の第１の歯７２を備える第１の歯部７１をなしうる。第１の係止部７０は、第１のリンクアーム３０とともに回転するようになるが、第１の歯部７１が調節板１が上昇した状態で底部に向かい、調節板１が下降するに従い徐々に後方側を向くように配置することができる。
【００３６】
第２の係止部８０は、第１の回転軸９３と第１の係止部７０との間の上部支持台２に第２の回転軸８１を介して回転可能に結合することができる。また、第２の係止部８０は、第２の回転軸８１側から第１の係止部７０の底部に延長された延長部８２を備え、延長部８２において、凹状曲面をなす上側は第１の歯７２とかみ合うように複数の第２の歯８５が設けられた第２の歯部８４を形成することができる。
【００３７】
第２の回転軸８１の他方に第１の回転軸９３側の第２の係止部８０には、高さ調節用ロックレバー９０の作動部９２に係止することができるように作動部９２と交差するように係止バー８３が延長されうる。また、第２の係止部８０は、第１の弾性部材６１を介して第２の歯部８４の方が第１の歯部７１の方に弾性支持されるように設置することができる。第１の弾性部材６１は、一端が上部支持台２に支持され、他端が第２の係止部８０に支持されるように設けられたコイルスプリングで構成されうる。
【００３８】
したがって、このような構造では、利用者が高さ調節用ロックレバー９０の高さ調節用グリップ部９１を手でつかんで調節板１の背面側に持ち上げられるようになると、第１の弾性部材６１が圧縮され、第２の回転軸８１を中心に第２の係止部８０の係止バー８３は、上部側に上がるようになる一方、延長部８２側が底部に下がるようになり、第１の歯部７１に対する第２の歯部８４の噛合状態が解除される。したがって、この時はクロスアーム２０を構成するリンクアーム３０、４０の間の回転が許容されることにより、調節板１は、クロスアーム２０の折りたたみ動作を介して昇降され、高さ調節が可能な状態になる。この状態で、調節板１を利用者が希望の高さに昇降させた状態で、利用者が高さ調節用グリップ部９１に加えられた力を除去すると、第１の弾性部材６１の復元力により、第２の回転軸８１を中心に第２の係止部８０の一方の係止バー８３は、下に下がるようになる一方、延長部８２が上部に持ち上げられるようになり、第２の歯部８４は、再び第１の歯部７１にかみ合うようになり、これにより、調節板１は、再び昇降動作がロック状態を維持するようになる。
【００３９】
また、少なくとも一部の第１の歯７２は、一方の第１の歯面７２ａが接線に対して傾斜し、他方の第２の歯面７２ｂが接線に対して垂直方向に形成されるよう設けられ、少なくとも一部の第２の歯８５は噛合状態で第１の歯７２の第２の歯面７２ｂに対応する一方の第１の歯面８５ａが接線に対して垂直方向に形成され、第１の歯７２の第１の歯面７２ａに対応する他方の第２の歯面８５ｂが接線に対して傾斜するように設けられうる。このように構成された第１および第２の歯７２、８５は、接線に対して垂直な第１の歯７２の第１の歯面７２ａと第２の歯８５の第２の歯面８５ｂとの間を介して相互間の係止力が向上し、ロック状態で両者の間のかみ合いが解除されるおそれが減り、接線に傾斜した第１の歯７２の第２の歯面７２ｂと第２の歯８５の第１の歯面８５ａとの間を介してロック解除の動作時、両者の間のかみ合い状態が迅速に解除されるようになる。
【００４０】
したがって、本実施例によるスタンディングテーブルは、調節板１の上にのせられるものの重さが過度な場合でも、上昇された状態の調節板１がものを支持した状態を安全に維持することができるようになり、高さ調節ユニット１０のロック状態も迅速に解除することができるようになる。また、クロスアーム２０を構成する一対のリンクアーム３０、４０の間には、調節板１が上昇する方向にリンクアーム３０、４０の間を弾性支持するための第２の弾性部材２２（図４参照）が設けられうる。
【００４１】
第２の弾性部材２２としては、中央がヒンジ軸２１に挟まれた状態で、両端がヒンジ軸２１の上部の第１のリンクアーム３０と第２のリンクアーム４０とにそれぞれ連結されたトーションスプリングが採用されうる。
【００４２】
第２の弾性部材２２を介して、第１および第２のリンクアーム３０、４０の間が調節板１の上昇方向に弾指された状態では、高さ調節用ロック装置６０によってリンクアーム３０、４０の間の回転が許容された状態で、特別な外力を加えなくても、調節板１の上昇動作が誘発され、調節板１の上に重いものが上げられている状態でも調節板１を円滑に上昇させることができるようになる。したがって、第２の弾性部材２２は、リンクアーム３０、４０の間の回転が許容された状態で、第１のショックアブソーバ５によって上昇する調節板１の上昇動作をスターティングさせる役割をするようになる。
【００４３】
クロスアーム２０は、調節板１の昇降動作を安定的に支持するように上部および下部支持台２、３の間の両側に一対に配置することができる。
【００４４】
そして、クロスアーム２０の回転動作を拘束する高さ調節用ロック装置６０は、各クロスアーム２０の動作を個別に操作するように一対に設けられ、各高さ調節用ロックレバー９０の高さ調節用グリップ部９１は、両手で同時に操作することができるように調節板１の底部両側に配置することができる。
【００４５】
このような高さ調節ユニット１０は、一対のクロスアーム２０がそれぞれ対応する高さ調節用ロック装置６０によって個別に動作される構造を有するため、一方のクロスアーム２０の回転のみ許容された状態で、調節板１の高さの可変を制限し、一対の高さ調節用グリップ部９１を両手で同時に操作し、一対のクロスアーム２０の回転がともに許容された状態でのみ調節板１の高さが可変になるようにする。したがって、本実施例によれば、調節板１の昇降動作時の利用者の手が上部支持台２と下部支持台３との間にはさまれることをほぼ完全に防止することができるため、調節板１の昇降による安全性を十分に確保することができるようになる。
【００４６】
また、スタンディングテーブルは、調節板１の傾斜を可変させるように設けられた傾斜調節ユニット１００をさらに備えるように設けることができる。
【００４７】
そのためにまず、調節板１は、前方下面がヒンジ部材１１０を介して上部支持台２前方に回転可能に結合されうる。したがって、調節板１は、前方が上部支持台２にヒンジ結合された状態で、上部支持台２の上部に回転可能な状態で支持されるようになる。
【００４８】
そして、図８〜図１１に示すように、傾斜調節ユニット１００は、調節板１の傾斜を高める方向に弾性支持するように調節板１底部に位置する掛け金１２０と、掛け金が段階的に係止するように設けられた複数の第１の係止溝１３０ａ、１３０ｂ、１３０ｃを備えるように調節板１背面に固定された係止板１３０と、複数の第１の係止溝１３０ａ、１３０ｂ、１３０ｃと同じ間隔で並べて配置された複数の第２の係止溝１４０ａを備え、第２の係止溝１４０ａが第１の係止溝１３０ａ、１３０ｂ、１３０ｃと一致した状態で整列が可能なように係止板１３０に摺動可能に装着された摺動部材１４０と、摺動部材１４０を掛け金１２０の弾性支持の方向の反対方向に加圧して摺動させるように設けられた加圧手段１５０を含むように構成することができる。ここで、第１および第２の係止溝が一致した状態で整列されるということは、第１および第２の係止溝に掛け金１２０がともに係止されるようになることを意味する。
【００４９】
掛け金１２０は、実質的に係止溝に係止するように水平に設けられた係止棒１２１と、係止棒１２１の両端に垂直に延長された一対の支持棒１２２を備えるコの字型に設けることができる。掛け金１２０の設置のために、上部支持台２の内側には、固定ブラケット１２９が設置され得、掛け金１２０は両支持棒１２２の末端に側方に延長された嵌突起１２２ａが固定ブラケット１２９に回転可能に結合された状態で固定ブラケット１２９に固定されうる。掛け金１２０が調節板１の傾斜を高める方向に弾性支持されるように少なくとも一方の嵌突起１２２ａには、第３弾性部材（図示せず）が設置されることがあり、第３弾性部材（図示せず）は、中央が嵌突起１２２ａに挟まれた状態で、一端は固定ブラケット１２９に固定され、他端が掛け金１２０の支持棒１２２に固定されたトーションスプリングで設けることができる。
【００５０】
係止板１３０は、ねじなどの締結部材を介して調節板１の背面に締結される天板部１３１と、天板部１３１の両側に平行に垂直に延長された一対の側板部１３２を含みうる。側板部１３２は、調節板１の前後方向にやや長めに延長され得、前記第１の係止溝１３０ａ、１３０ｂ、１３０ｃは、各側板部１３２に側板部１３２の長手方向に沿って一定の間隔に離隔されるように形成することができる。本実施例の場合、第１の係止溝１３０ａ、１３０ｂ、１３０ｃは、各側板部１３２に３個ずつ形成される。第１の係止溝１３０ａ、１３０ｂ、１３０ｃは、摺動部材１４０の摺動方向に沿って両側の第１の群１３０ａおよび第３群１３０ｃと、第１および第３群１３０ａ、１３０ｃの間に位置する第２の群１３０ｂに区分することができる。
【００５１】
そして、摺動部材１４０は、一対の側板部１３２の間に側板部１３２と並んで配置される一対の摺動板１４１を備えるように設けることができる。一対の摺動板１４１は、相互に連結された状態で、係止板１３０の天板部１３１に係止板１３０の長手方向に摺動可能に締結することができる。
【００５２】
各摺動板１４１には、複数の第２の係止溝１４０ａが第１の係止溝１３０ａ、１３０ｂ、１３０ｃとの間の間隔と同じ間隔に形成することができる。第２の係止溝１４０ａは、摺動板１４１ごとに２個ずつ設けることができる。本実施例の場合、掛け金１２０の係止棒１２１が安定的に係止するように、第１の係止溝１３０ａ、１３０ｂ、１３０ｃが設けられた係止板１３０の側板部１３２と、第２の係止溝１４０ａが形成された摺動部材１４０の摺動板１４１０を一対ずつ設けたが、側板部１３２と摺動板１４１は、それぞれ一つずつでも構成が可能である。そして、加圧手段１５０は、傾斜調節用ロックレバー１６０と、傾斜調節用ロックレバー１６０を操作することにより、摺動部材１４０を掛け金１２０の弾性支持方向と反対方向に押すように設けられたリンク部材１７０を含むように構成されうる。傾斜調節用ロックレバー１６０は、係止板１３０の長手方向と垂直に交差する方向に側板部１３２に回転可能に結合された作動部１６１と、作動部１６１の一端から折曲延長された連結部１６２と、連結部１６２の一端に再び折曲延長され、作動部１６１と平行に設けられた傾斜調節用グリップ部１６３を含みうる。このような傾斜調節用ロックレバー１６０は、第４弾性部材（図示せず）を介して傾斜調節用グリップ部１６３が調節板１底部に弾力支持されるように係止板１３０に設置することができる。第４弾性部材（図示せず）は、一端は動作部１６１に支持されて他端は係止板１３０に支持されるトーションスプリングで設けられうる。そして、リンク部材１７０は、一端が作動部１６１に固定されて作動部１６１の回転時に回動するように設けられた第１のリンク１７１と、中途が折り曲げられた状態で一対の摺動板１４１の間に固定され、第１のリンク１７１と対応する端部が第１のリンク１７１に回転可能に結合された第２のリンク１７２を含むように構成することができる。第２のリンク１７２は、両側に延長された固定突起１７２ａが摺動板１４１に締結されることにより、摺動板１４１に固定された状態で、第１のリンク１７１に押されて摺動板１４１を前進方向に摺動させることができるようになる。傾斜調節ユニット１００を用いた調節板１の傾斜調節動作を説明すると、次の通りである。
【００５３】
図９には、掛け金１２０の係止棒１２１が相互に一致した第１の係止溝１３０ａ、１３０ｂ、１３０ｃの第２の群１３０ｂと第２の係止溝１４０ａに係止した状態の構造が示される。この状態で、調節板１の傾斜をさらに高めようとする場合、利用者は、図１０に示すように、傾斜調節用ロックレバー１６０の傾斜調節用グリップ部１６３を調節板１背面側に持ち上げるようになる。
【００５４】
これにより、第１のリンク１７１の回転動作により、第１および第２のリンク１７１、１７２の間が広がるようになり、摺動部材１４０は第２のリンク１７２とともに矢印の方向に前進するようになる。したがって、この状態では、並んでいた第１および第２の係止溝１３０ｂ、１４０ａの間がずれた位置となり、第１および第２の係止溝に係止していた係止棒１２１が、第１および第２の係止溝１３０ｂ、１４０ａから抜け出すようになる。
【００５５】
この状態で、利用者は調節板１の後方を上部に上げたり下部に下げたりして調節板１の傾斜を変化させるようになるが、このとき、調節板１が、傾斜が高くなるように前方に立てられる場合、掛け金１２０は、第３弾性部材（図示せず）を介して立てられる方向に移動するようになって、調節板１が、傾斜が低くなるように寝かせる場合、掛け金１２０も係止板１３０によって押されて寝かせられるようになる。
【００５６】
以後、傾斜調節用ロックレバー１６０の傾斜調節用グリップ部１６３に加えられた力を除去すると、図１１に示すように、第４弾性部材（図示せず）の復元力により摺動部材１４０が後進するようになり第２の係止溝１４０ａは、補助板３の傾斜の変化に応じて、第１の係止溝１３０ａ、１３０ｂ、１３０ｃのうち１群１３０ａまたは３群１３０ｃと一致した状態で整列されるようになって、係止棒１２１は、再び一致した第１および第２の係止溝に係止して支持され、調節された調節板１の傾斜が維持されるようにする。
【００５７】
図１１の場合、係止棒１２１が第１の係止溝１３０ａ、１３０ｂ、１３０ｃのうち、第１の群１３０ａと一致した第２の係止溝１４０ａに係止して支持されることにより、調節板１が図９より大きな傾斜を有するように調節された状態を示したものである。
【００５８】
そして、前記傾斜調節用グリップ部１６３は、調節板１の外郭の内側に位置するようになり、傾斜調節用グリップ部１６３の位置に対応する部位の調節板１には、傾斜調節用グリップ部１６３を天板３上部から手を入れてつかむことができるように操作孔１ａが貫通されるように設けることができる。
【００５９】
したがって、傾斜調節ユニット１００を用いて、調節板１の傾斜を可変させようとする場合、利用者は、自分の一方の手を調節板１の上部から操作孔１ａに挿入した状態で、傾斜調節用グリップ部１６３を把持して操作することができるようになる。このとき、利用者は、傾斜調節用グリップ部１６３を把持した手で天板３をかけてつかむことができるようになるため、調節板１を手で握った状態で、調節板１の傾斜を安全に調節することができるようになる。また、天板の傾斜調節動作が振動のない状態で安定的になされるように調節板１と固定ブラケット１２９との間には、第２のショックアブソーバ（ｓｈｏｃｋ  ａｂｓｏｒｂｅｒ）１８０がさらに設置されうる。
【００６０】
第２のショックアブソーバ１８０は、一端が調節板１底面に結合され、他端が固定ブラケット１２９の一方に結合されて調節板１の傾斜調節動作に伴う衝撃を吸収するようになる。以下、図１２ないし図２３を参照して、第２の実施例によるスタンディングテーブルを説明する。以下では、第１の実施例によるスタンディングテーブルと同じ構成については説明を省略し、異なる構成についてのみ説明する。
【００６１】
図１２〜図１５に示すように、本第２の実施例によるスタンディングテーブルは、天板１’と、天板１’を地面から支持するための複数の支持脚４を備える。支持脚４の間には側板５を介して連結が可能であるが、前方側支持脚４の間には椅子を使用する場合に備えて、側板５がなく、開放された形態を有するようにすることが望ましい。
【００６２】
天板１’は、本体板２および補助板３を含むように構成され、本体板２と補助板３は、同一平面上に位置できるように設けられる。
【００６３】
以下では、天板１’の形状と材質は、第１の実施例の調節板１と同じものとする。補助板３は、第１の実施例の調節板１と同じ機能をする。
【００６４】
本実施例では、本体板２は、前方中央部に切欠溝２ａが設けられ、補助板３は、切欠溝２ａの内側を満たす形態で配置されて本体板２とともに全体的に矩形の天板１’を形成するようになる。
【００６５】
これとは異なり補助板３は、本体板２の後方や側方にも位置することができ、本体板２よりも側面にさらに突出した形態でも採用が可能である。
【００６６】
補助板３は、高さ調節ユニット１０を介して本体板２の上部に高さが可変されうるようになる。このため、天板１’底部には、本体フレーム６が設けられ、補助板３底部には補助フレーム７が設けられ、本体フレーム６と補助フレーム７との間には、一対の高さ調節ユニット１０が両側に配置されうる。
【００６７】
本体フレーム６は、天板１’底部の支持脚４の間を連結する格子状の枠型に設けることができ、補助フレーム７は、補助板３底面を支持する格子状の枠型に設けることができる。
【００６８】
図１６〜図１８に示すように、高さ調節ユニット１０は、まず、本体フレーム６と補助フレーム７との間を折りたたみ可能に連結するように設けられたクロスアーム２０を含むように構成することができ、クロスアーム２０は、相互にＸ字型に回転可能に交差された一対のリンクアーム３０、４０に構成することができる。
【００６９】
クロスアーム２０の結合構造上、補助フレーム７と本体フレーム６は、第１の実施例の上部支持台２と下部支持台３にそれぞれ対応される。
【００７０】
第１の実施例の調節板１と同様の方式により、補助板３は、クロスアーム２０の折りたたみ動作に応じて安定的に昇降するようになり高さが可変されうるようになる。  
【００７１】
第１の係止部７０は扇形に形成され、第１のリンクアーム３０の上端に固定することができ、扇形の第１の係止部７０において溝部位を形成する底部の周りには、係止溝７１が設けられうる。係止溝７１は、第１の係止部７０の底部の周りに沿って複数個に形成することができる。
【００７２】
第２の係止部８０は、第１の回転軸９３と第１の係止部７０との間の補助フレーム７に第２の回転軸８１を介して回転可能に結合することができる。第２の回転軸８１の一方に第１の係止部７０側には、係止溝７１に係止するように複数の係止突起８２が設けられ得、第２の回転軸８１の他方に第１の回転軸９３側には、高さ調節用ロックレバー９０の作動部９２に係止するように動作部９２と交差するように係止バー８３が延長されうる。第２の係止部８０の場合、弾性部材（図示せず）を介して係止突起８２の方が係止溝７１側に弾性支持されるように設けられ得、弾性部材（図示せず）は一端が補助フレーム７に支持されて他端が第２の係止部８０に支持されるように設置されたトーションスプリングで設けられうる。
【００７３】
したがって、このような構造では、利用者が高さ調節用ロックレバー９０のグリップ部９１を手でつかんで補助板３の背面側に持ち上げられると、第２の回転軸８１を中心に第２の係止部８０の一方の係止バー８３は、上に上げられる一方、第２の係止部８０の他方の係止突起８２は、底部に下がるようになり係止溝７１に対する係止突起８２の係止が解除されるようになる。したがって、この時はクロスアーム２０を構成するリンクアーム３０、４０の間の回転が許容されることにより、補助板３は、クロスアーム２０の折りたたみ動作を介して昇降され、高さ調節が可能な状態になる。
【００７４】
そして、この状態で補助板３０が、利用者が希望の高さに昇降した状態で、利用者が高さ調節用ロックレバー９０のグリップ部９１に加えられた力を除去すると、弾性部材の復元力を第２の回転軸８１を中心に第２の係止部８０の一方の係止バー８３は下に下がるようになる一方、第２の係止部８０の他方の係止突起８２は、上部に持ち上げられるようになり、再び係止溝７１に係止するようになり、それに応じて補助板３の昇降動作は、ロック状態を維持することができるようになる。
【００７５】
一方、前述したように、本実施例によるスタンディングテーブルは高さ調節ユニット１０が左右両側に一対に設けられることにより、補助板３０の両側に配置される一対の高さ調節用ロックレバー９０を両手を使って操作してこそ補助板３を昇降動作させることができようになるので、補助板３の昇降動作時に一方の手が補助板３と切欠溝２ａとの間にはさまるおそれがなくなり、これにより補助板３の昇降に伴う安全性を確保するにも有利になる。
【００７６】
以上では、特定の実施例について図示して説明した。しかし、本考案は、前記した実施例のみに限定されず、考案の属する技術分野において通常の知識を有する者であれば、以下の請求の範囲に記載された考案の技術的思想の要旨を逸脱することなく、いくらでも多様に変更実施することができる。
【符号の説明】
【００７７】
１：調節板        
１’：天板
２：本体板
３：補助板
６：本体フレーム
７：補助フレーム
１０：高さ調節ユニット
２０：クロスアーム
３０：第１のリンクアーム
４０：第２のリンクアーム
５０：第１のショックアブソーバ
６０：高さ調節用ロック装置
７０：第１の係止部
７２：第１の歯
８０：第２の係止部
８５：第２の歯        
９０：高さ調節用ロックレバー
９１：高さ調節用グリップ部
１００：傾斜調節ユニット
１２０：掛け金
１３０：係止板
１４０：摺動部材
１５０：加圧手段
１６０：傾斜調節用ロックレバー
１６３：傾斜調節用グリップ部
１７０：リンク部材
１８０：第２のショックアブソーバ
【図１】
0003206215.tif 000003
【図２】
0003206215.tif 000004
【図３】
0003206215.tif 000005
【図４】
0003206215.tif 000006
【図５】
0003206215.tif 000007
【図６】
0003206215.tif 000008
【図７】
0003206215.tif 000009
【図８】
0003206215.tif 000010
【図９】
0003206215.tif 000011
【図１０】
0003206215.tif 000012
【図１１】
0003206215.tif 000013
【図１２】
0003206215.tif 000014
【図１３】
0003206215.tif 000015
【図１４】
0003206215.tif 000016
【図１５】
0003206215.tif 000017
【図１６】
0003206215.tif 000018
【図１７】
0003206215.tif 000019
【図１８】
0003206215.tif 000020
【図１９】
0003206215.tif 000021
【図２０】
0003206215.tif 000022
【図２１】
0003206215.tif 000023
【図２２】
0003206215.tif 000024
【図２３】
0003206215.tif 000025